(57)【要約】【課題】化粧溝の底部まで化粧シートを密着させつつ、化粧溝のシャープさを損なわない化粧板であって、なおかつ、１枚の基板のみで化粧溝を作製し、台板に加工を必要としない化粧板が望まれていた。【解決手段】表面に化粧シートが貼着された基板の裏面に、垂直な両側壁面と、基材を略化粧シートに達するまで切削形成された化粧シートに平行な第１水平底部構成面を両側に備え、両第１水平底部構成面からそれぞれ切削溝の開口方向に垂直に立ち上がる２つの第１垂直底部構成面および２つの第２垂直底部構成面と、この第１垂直底部構成面と連接する第１水平底部構成面と平行な第２水平底部構成面と、両第１水平底部構成面と両側壁面との間に逆Ｖ字形底部構成面と、逆Ｖ字形底部構成面と第２垂直底部構成面とに連接する第１水平底部構成面と平行な第３水平底部構成面とを備えていることを特徴とする化粧板。【選択図】図１
2011247086.tif 000002
【特許請求の範囲】
【請求項１】
基板と、この基板表面を覆う化粧シートとを備え、表面に化粧溝が形成された化粧板であって、表面に化粧シートが貼着された基板の裏面に、垂直な両側壁面と、基材を略化粧シートに達するまで切削形成された化粧シートに平行な第１水平底部構成面を両側に備え、前記両第１水平底部構成面からそれぞれ切削溝の開口方向に垂直に立ち上がる２つの第１垂直底部構成面および２つの第２垂直底部構成面と、この前記第１垂直底部構成面と連接する前記第１水平底部構成面と前記平行な第２水平底部構成面と、前記両第１水平底部構成面と前記両側壁面との間に逆Ｖ字形底部構成面と、前記逆Ｖ字形底部構成面と前記第２垂直底部構成面とに連接する前記第１水平底部構成面と平行な第３水平底部構成面とを備え、前記逆Ｖ字形底部構成面同士が接着され、前記第１水平底部構成面と前記第２垂直底部構成面とが接着され、前記側壁面と前記第３水平底部構成面および前記第１垂直底部構成面とが接着され、かつ、前記第１水平底部構成面と前記第２垂直底部構成面との接着部の表面が基板表面に折り返されて接着され、化粧溝が断面凵字形をしていることを特徴とする化粧板。
【請求項２】
前記側壁面の高さと、前記第３水平底部構成面の幅と前記第1垂直底部構成面の高さとの合計とが同じ長さであることを特徴とする請求項１に記載の化粧板。
【発明の詳細な説明】
【技術分野】
【０００１】
本発明は、ドアや壁材などの内装用品や家具類などの収納用品に用いられる化粧溝を施した化粧板に係り、更に詳しくは、一枚の基板から種々の形状の化粧溝を作製した化粧板に関するものである。
【背景技術】
【０００２】
従来、ドアや壁材などの内装用品や家具類などの収納用品には、表面にＶ字形、凵字形、逆台形状の化粧溝加工がなされている。この化粧溝加工は、通常、特許文献１の従来技術に示すように、通常、基板の表面にＶ字形の切削溝加工を行った後、切削面に化粧シートを貼り付けて作製されている。
【０００３】
また、特許文献１のように、Ｖ字形の切削溝の底部に平坦部を設けた後に、切削面に化粧シートを貼り付けてＶ字形の化粧溝加工がなされている化粧板もある。
【０００４】
そして、特許文献２のように、基板の裏面からＶ字形の切削溝加工を行い、その後この切削面を広げて台板上に接着させて基板の表面にＶ字形の化粧溝加工がなされている化粧板もある。
【０００５】
さらに、特許文献３のように、基板の裏面から２ヶ所のＶ字形の切削溝加工を行った後、切削面を接着して断面を略Ｊ字形にした基板を２枚用意し、嵌合溝を設けた台板にこの略Ｊ字形の基板を嵌め込むことで、基板の表面にＶ字形の化粧溝加工がなされている化粧板もある。
【０００６】
【特許文献１】特開２００１−１７９７１０号公報
【０００７】
【特許文献２】特開昭４８−１１８２３号公報
【０００８】
【特許文献３】特開２００２−２４８６０９号公報
【発明の開示】
【発明が解決しようとする課題】
【０００９】
しかし、従来技術である切削面に化粧シートを貼り付ける方法では、化粧溝の幅が小さかったり、溝の深さが大きかったりした場合には、化粧シートが化粧溝の底まで十分入りこまずに化粧シートが浮き上がってしまうという問題があった。そして、逆に浮き上がりを防止するために化粧シートを溝の底に押しつけると化粧シートが破れてしまい、破損した部分から吸水を起こしてしまい、耐久性が低下するという問題があった。
【００１０】
また、特許文献１に示す化粧板では、化粧溝の底部に平坦部を設けたことによって、化粧シートの浮き上がりや破損は防止できるが、Ｖ字形の化粧溝のシャープさといった質感を表現することが困難であるという問題があった。
【００１１】
そして、特許文献２に示す化粧板では、化粧シートがＶ字形の化粧溝の底まで密着していることから、化粧溝のシャープさを表現することはできるが、Ｖ字形の化粧溝を形成するために台板に接着することで基板と台板の間に空気層ができてしまうことから、プレス成形によって最終商品を製造することができない。
従って、最終商品となった際、中空部分に十分な強度を付与できないという問題があった。
【００１２】
さらに、特許文献３に示す化粧板では、Ｖ字形の切削溝加工を行い、断面を略Ｊ字形にした基板を２枚用意する必要があり、また、台板にも嵌合溝を設ける加工を行わなければならず、作業工程が複雑になるという問題があった。
【００１３】
本発明は、上記した従来の問題点に鑑みてなされたものであって、化粧溝の底部まで化粧シートを密着させつつ、化粧溝のシャープさを損なわない基板であって、なおかつ、１枚の基板のみで化粧溝を作製し、台板に加工を必要としない化粧板を提供することを目的とする。
【課題を解決するための手段】
【００１４】
上記目的を達成するために、本発明の請求項１に係る化粧板は、基板と、この基板表面を覆う化粧シートとを備え、表面に化粧溝が形成された化粧板であって、表面に化粧シートが貼着された基板の裏面に、垂直な両側壁面と、基材を略化粧シートに達するまで切削形成された化粧シートに平行な第１水平底部構成面を両側に備え、前記両第１水平底部構成面からそれぞれ切削溝の開口方向に垂直に立ち上がる２つの第１垂直底部構成面および２つの第２垂直底部構成面と、この前記第１垂直底部構成面と連接する前記第１水平底部構成面と前記平行な第２水平底部構成面と、前記両第１水平底部構成面と前記両側壁面との間に逆Ｖ字形底部構成面と、前記逆Ｖ字形底部構成面と前記第２垂直底部構成面とに連接する前記第１水平底部構成面と平行な第３水平底部構成面とを備え、前記逆Ｖ字形底部構成面同士が接着され、前記第１水平底部構成面と前記第２垂直底部構成面とが接着され、前記側壁面と前記第３水平底部構成面および前記第１垂直底部構成面とが接着され、かつ、前記第１水平底部構成面と前記第２垂直底部構成面との接着部の表面が基板表面に折り返されて接着され、化粧溝が断面凵字形をしていることを特徴とするものである。
【００１５】
本発明の請求項２に係る化粧板は、請求項１において、側壁面の高さと、第３水平底部構成面の幅と前記第1垂直底部構成面の高さとの合計とが同じ長さであることを特徴とするものである。
【００１６】
ここで、本発明に用いる基板は、木材はもちろんのこと、合板、ＭＤＦ、ＬＶＬ、パーティクルボードなどの木質材料系の板材にも用いることができる。また、珪酸カルシウム板のような無機材料系の板材にも用いることができる。
【００１７】
本発明に用いる化粧シートは、基板に接着でき表面を化粧することができるものであれば特に限定されず、建材の化粧用材料として一般的に用いられている突き板を用いることができる。また、塩化ビニル樹脂、ポリエチレン樹脂、ポリプロピレン樹脂などの合成樹脂シートも用いることができる。なお、これらの突き板や合成樹脂シートには、適宜、色や模様をつけておいてもよい。
【００１８】
なお、本発明においては、側面視Ｗ字形に配置された４つの底部構成面と、側壁面と間に、化粧シートに平行な水平底部構成面を設けておくことが好ましい。
ここで、水平底部構成面の幅については、０．０５〜１．０ｍｍにすることが好ましく、さらには０．１〜０．３ｍｍにすることが好ましい。  
その理由は、かかる遊びを作っておくことによって、切削面を折り曲げて接着した際に、化粧シートが折り曲げ部分で伸びることによって、破断したり、白化したりすることを防止できるからである。
また、かかる遊びを作っておくことによって、従来は冬場の温度が低い時期において、化粧シートの破断を防止するために必要であった、基板の加温の前処理作業を行うことなく切削面を折り曲げることができるからである。
従って、平坦部の幅が０．１ｍｍよりも小さいと折り曲げた際の化粧シートの破断や白化を十分には防止できない。また、平坦部の幅が０．３ｍｍよりも大きいと折り曲げた際に折り曲げ部で化粧シートが余り、外観が悪くなることになる。
【００１９】
一方、水平底部構成面の厚みについては、略化粧シートに達する状態であればよい。これは、折り曲げの際に折り曲げ作業が困難とならなければ、厚みには限定されないという意味であり、従って、水平底部構成面にわずかに基板を残した状態で切削してもよいし、あるいは、化粧シートのみを残して基板を全て切削してもよい。
【発明の効果】
【００２０】
請求項１の発明に係る化粧板は、基板と、この基板表面を覆う化粧シートとを備え、表面に化粧溝が形成された化粧板であって、表面に化粧シートが貼着された基板の裏面に、垂直な両側壁面と、基材を略化粧シートに達するまで切削形成された化粧シートに平行な第１水平底部構成面を両側に備え、両第１水平底部構成面からそれぞれ切削溝の開口方向に垂直に立ち上がる２つの第１垂直底部構成面および２つの第２垂直底部構成面と、この第１垂直底部構成面と連接する第１水平底部構成面と平行な第２水平底部構成面と、両第１水平底部構成面と両側壁面との間に逆Ｖ字形底部構成面と、逆Ｖ字形底部構成面と第２垂直底部構成面とに連接する第１水平底部構成面と平行な第３水平底部構成面とを備え、逆Ｖ字形底部構成面同士が接着され、第１水平底部構成面と第２垂直底部構成面とが接着され、側壁面と第３水平底部構成面および第１垂直底部構成面とが接着され、かつ、第１水平底部構成面と第２垂直底部構成面との接着部の表面が基板表面に折り返されて接着されることによって、表面に断面凵字形の化粧溝が形成される構成にしてある。
従って、裏面を折り曲げることによって、化粧シートが貼着された状態で表面に化粧溝を形成することができることから、化粧溝の底部まで化粧シートを密着させつつ、化粧溝のシャープさを損なわない化粧板を作製することができる。
また、切削面を折り曲げて接着した際に、基板が巻き込まれた状態で化粧溝の開口部が形成されることから、化粧溝の強度が向上した化粧板を作製することができる。
【００２１】
請求項２の発明に係る化粧板は、側壁面の高さと、第３水平底部構成面の幅と第１垂直底部構成面の高さとの合計とが同じ長さである構成にしてある。
従って、折り曲げた後に化粧板の裏面がフラットになり、台板に嵌合溝の加工を必要せずに表面に凵字形の化粧溝を施した化粧板を作製することができる。
さらに、化粧板の裏面がフラットになっていることから、プレス加工によって台板に化粧板を固定することができ、中空構造とならずに強度を保持した化粧建材を作製することができる。
【発明を実施するための最良の形態】
【００２２】
本発明の最良の実施例を図面に基づいて説明する。なお、以下に述べる実施形態は本発明を具体化した一例に過ぎず、本発明の技術的範囲を限定するものでない。なお、図において、１は基板、２は化粧シート、３は台板である。
【００２３】
（実施例１）
図１は本発明の実施例１に係る化粧板の製造工程を示す図である。図１（ａ）に示すように、厚さ３．０ｍｍの基板１の表面に、厚さ０．１ｍｍの塩化ビニル樹脂製の化粧シート２を、木工用接着剤（株式会社オーシカ製）によって接着した。
次に、図１（ｂ）に示すように、裏面から基材の厚み方向に２．０ｍｍの長さまで達する垂直な側壁面３２と、１．０ｍｍ幅で化粧シート２まで達する化粧シート２に平行な第１水平底部構成面３３と、両第１水平底部構成面３３からそれぞれ切削溝の開口方向に垂直に立ち上がる高さ１．０ｍｍの２つの第１垂直底部構成面３４および２つの第２垂直底部構成面３５と、第１垂直底部構成面３４と連接する第１水平底部構成面３３と平行な１０．５ｍｍ幅の第２水平底部構成面３６と、両第１水平底部構成面３３と両側壁面３２との間に切欠溝の高さ方向の長さがそれぞれ１．０ｍｍの逆Ｖ字形底部構成面３７と、逆Ｖ字形底部構成面３７と第２垂直底部構成面３５とに連接する第１水平底部構成面３３と平行な１．０ｍｍ幅の第３水平底部構成面３８を形成するように切削して、化粧板形成材３９を作製した。
次に、逆Ｖ字形底部構成面３７同士を接着し、第１水平底部構成面３３と第２垂直底部構成面３５とを接着し、側壁面３２と、第１垂直底部構成面３４および第３水平底部構成面３８とを接着し、第１水平底部構成面３３と第２垂直底部構成面３５との接着部の表面を基板表面４０に折り返して接着して、図１（ｃ）に示す、化粧溝４１が断面凵字形をしている化粧板４２を作製した。なお、接着剤は木工用接着剤を使用した。
最後に、上記化粧板４２を台板３に、成形温度２５℃、成形圧力３．５ＭＰａの条件で６０分間、コールドプレスにて圧着することによって、図１（ｄ）に示す、化粧建材４３を作製した。なお、接着剤は木工用接着剤を使用した。
【００２４】
なお、上記の実施形態では、作製した化粧板を台板の両側に圧着したが、使用用途に合わせて台板の片面のみに圧着してもよく、例えば、壁材などに使用する場合には、外観面となる面にのみ化粧板を圧着すればよい。
【００２５】
さらに、上記の実施形態では、Ｖ字形、凵字形の化粧板を示したが、本発明の化粧板はそれに限定されるものでなく、例えば、切削溝の切削幅や深さを左右で変化させることによって、変形したＶ字形、凵字形の化粧溝を施した化粧板や逆台形状の化粧溝を施した化粧板を作製することもできる。
【産業上の利用可能性】
【００２６】
本発明の化粧板は、ドアや壁材などの内装用品や家具類などの収納用品に用いることができる。
【図面の簡単な説明】
【００２７】
【図１】本発明の実施例１に係る化粧板の製造工程を示す図である。
【符号の説明】
【００２８】
１    基板
２    化粧シート
３    台板
３２ 側壁面
３３ 第１水平底部構成面
３４ 第１垂直底部構成面
３５ 第２垂直底部構成面
３６ 第２水平底部構成面
３７ 逆Ｖ字形底部構成面
３８ 第３水平底部構成面
３９ 化粧板形成材
４０ 基板表面
４１ 化粧溝
４２ 化粧板
４３ 化粧建材
【図１】
2011247086.tif 000003